(57)【要約】【課題】刷版の版面の実際の温度と適温との差を低減すること。【解決手段】印刷機１は、刷版が装着される版胴２５ａ及び版胴２５ｂと、版胴２５ａ及び版胴２５ｂを含んで構成されて複数設けられると共に、ウェブに印刷を施す各印刷ユニット１１〜１４と、複数の前記版胴に装着される複数の前記刷版を複数のグループに分けた場合に、前記グループの単位で個別に前記版胴に装着される前記刷版の前記版面の温度を調節する温度調節装置５０とを備える。【選択図】        図３
2009255421.tif 000002
【特許請求の範囲】
【請求項１】
刷版が装着される版胴と、
前記版胴を含んで構成されて複数設けられると共に、被記録媒体に印刷を施す印刷ユニットと、
複数の前記版胴のそれぞれに装着される複数の前記刷版を複数のグループに分けた場合に、前記版胴に装着される前記刷版の版面の温度を前記グループの単位で個別に調節する温度調節手段と、
を備えることを特徴とする印刷機。
【請求項２】
前記温度調節手段は、前記グループの単位で、前記版面の温度がより上昇しやすい前記刷版の前記版面を、他の前記刷版の前記版面よりもより冷却することを特徴とする請求項１に記載の印刷機。
【請求項３】
前記温度調節手段は、前記グループの単位で、印刷後の前記被記録媒体を乾燥させる乾燥手段に近い方の前記版面が、前記被記録媒体を前記印刷ユニットに供給する給紙手段に近い方の前記版面よりも、より冷却することを特徴とする請求項２に記載の印刷機。
【請求項４】
前記温度調節手段は、前記刷版の前記版面に供給される湿し水の温度を調節することによって、前記刷版の前記版面の温度を調節することを特徴とする請求項１から請求項３のいずれか一項に記載の印刷機。
【請求項５】
前記温度調節手段は、前記湿し水の温度を検出する温度検出手段を備え、前記温度調節手段は、前記温度検出手段が検出した前記湿し水の温度に基づいて前記湿し水の温度を調節することを特徴とする請求項４に記載の印刷機。
【請求項６】
前記温度調節手段は、前記版面の温度がより上昇しやすい前記刷版を有する前記グループほど、前記湿し水の温度をより低く調節することを特徴とする請求項４または請求項５に記載の印刷機。
【請求項７】
前記印刷ユニットは、冷却水が供給されて冷却される水冷ローラを備え、前記温度調節手段は、前記水冷ローラに供給される冷却水の温度を調節することによって、前記刷版の前記版面の温度を調節することを特徴とする請求項１から請求項６のいずれか一項に記載の印刷機。
【請求項８】
前記温度調節手段は、前記冷却水の温度を検出する温度検出手段を備え、前記温度調節手段は、前記温度検出手段が検出した前記冷却水の温度に基づいて前記冷却水の温度を調節することを特徴とする請求項７に記載の印刷機。
【請求項９】
前記温度調節手段は、前記版面の温度がより上昇しやすい前記刷版を有する前記グループほど、前記冷却水の温度をより低く調節することを特徴とする請求項７または請求項８に記載の印刷機。
【発明の詳細な説明】
【技術分野】
【０００１】
本発明は、搬送されるウェブに印刷を行う印刷機に関する。
【背景技術】
【０００２】
従来、オフセット印刷機は、刷版の画線部と非画線部とのうち、非画線部には油と反発する水膜として湿し水が供給される。例えば、特許文献１には、インキ壺内のインキの温度と、水舟内の湿し水の温度とを個別に制御する技術が開示されている。
【０００３】
【特許文献１】特開２００１−１９９０５２号公報
【発明の開示】
【発明が解決しようとする課題】
【０００４】
印刷機は、通常、複数の印刷ユニットを備える。この複数の印刷ユニットのうち、印刷対象であるウェブを乾燥させる乾燥装置や他の熱源側に配置される印刷ユニットでは、刷版の版面の温度が、前記乾燥装置から熱を受けて適温よりも高くなるおそれがある。刷版の版面の温度が前記適温よりも高くなると、湿し水の粘度が高くなり、湿し水が刷版の版面に均一に供給されず、網点形状の悪化、インキの付着の悪化、印刷濃度の変化、インキの過剰な乳化、等のおそれがある。つまり、従来の印刷機は、刷版の版面の温度が前記適温よりも高くなり、印刷品質が低下するおそれがある。
【０００５】
本発明は、上記に鑑みてなされたものであって、刷版の版面の実際の温度と適温との差を低減することを目的とする。
【課題を解決するための手段】
【０００６】
上述した課題を解決し、目的を達成するために、本発明に係る印刷機は、刷版が装着される版胴と、前記版胴を含んで構成されて複数設けられると共に、被記録媒体に印刷を施す印刷ユニットと、複数の前記版胴のそれぞれに装着される複数の前記刷版を複数のグループに分けた場合に、前記版胴に装着される前記刷版の版面の温度を前記グループの単位で個別に調節する温度調節手段と、を備えることを特徴とする。
【０００７】
上記構成により、前記印刷機は、複数の前記刷版の前記版面の温度を、複数のグループに分けて個別に調節できる。これにより、前記印刷機は、より細かい単位で、前記刷版の前記版面の実際の温度と適正な温度との差を低減できる。
【０００８】
本発明の好ましい態様としては、前記温度調節手段は、前記グループの単位で、前記版面の温度がより上昇しやすい前記刷版の前記版面を、他の前記刷版の前記版面よりもより冷却することが望ましい。
【０００９】
上記構成により、前記印刷機は、冷却をより必要とする前記刷版の前記版面を他の刷版の版面よりもより冷却する。これにより、前記印刷機は、前記刷版の前記版面の実際の温度と適正な温度との差をより好適に低減できる。
【００１０】
本発明の好ましい態様としては、前記温度調節手段は、前記グループの単位で、印刷後の前記被記録媒体を乾燥させる乾燥手段に近い方の前記版面が、前記被記録媒体を前記印刷ユニットに供給する給紙手段に近い方の前記版面よりも、より冷却することが望ましい。
【００１１】
上記構成により、前記印刷機は、冷却をより必要とする前記乾燥手段側に配置されて温度が相対的に高い前記刷版の前記版面を、前記給紙手段側に配置されて前記乾燥手段側に配置される前記刷版の前記版面よりも、より冷却できる。これにより、前記印刷機は、前記刷版の前記版面の実際の温度と適正な温度との差をより好適に低減できる。
【００１２】
本発明の好ましい態様としては、前記温度調節手段は、前記刷版の前記版面に供給される湿し水の温度を調節することによって、前記刷版の前記版面の温度を調節することが望ましい。
【００１３】
上記構成により、前記印刷機は、従来の印刷機に前記刷版の前記版面を冷却する新たな装置を設けることなく、前記刷版の前記版面の温度を調節できる。
【００１４】
本発明の好ましい態様としては、前記温度調節手段は、前記湿し水の温度を検出する温度検出手段を備え、前記温度調節手段は、前記温度検出手段が検出した前記湿し水の温度に基づいて前記湿し水の温度を調節することが望ましい。
【００１５】
上記構成により、前記印刷機の前記温度調節手段は、前記湿し水の温度を検出しながら前記刷版の前記版面の温度を調節できる。これにより、前記印刷機は、前記刷版の前記版面の温度をより正確に調節できる。
【００１６】
本発明の好ましい態様としては、前記温度調節手段は、前記版面の温度がより上昇しやすい前記刷版を有する前記グループほど、前記湿し水の温度をより低く調節することが望ましい。
【００１７】
上記構成により、前記印刷機は、冷却をより必要とする前記刷版の前記版面をより温度の低い前記湿し水によって冷却することで、冷却をより必要とする前記刷版の前記版面を他の刷版の版面よりもより冷却する。これにより、前記印刷機は、前記刷版の前記版面の実際の温度と適正な温度との差をより好適に低減できる。
【００１８】
本発明の好ましい態様としては、前記印刷ユニットは、冷却水が供給されて冷却される水冷ローラを備え、前記温度調節手段は、前記水冷ローラに供給される冷却水の温度を調節することによって、前記刷版の前記版面の温度を調節することが望ましい。
【００１９】
上記構成により、前記印刷機は、従来の印刷機に前記刷版の前記版面を冷却する新たな装置を設けることなく、前記刷版の前記版面の温度を調節できる。
【００２０】
本発明の好ましい態様としては、前記温度調節手段は、前記冷却水の温度を検出する温度検出手段を備え、前記温度調節手段は、前記温度検出手段が検出した前記冷却水の温度に基づいて前記冷却水の温度を調節することが望ましい。
【００２１】
上記構成により、前記印刷機の前記温度調節手段は、前記冷却水の温度を検出しながら前記刷版の前記版面の温度を調節できる。これにより、前記印刷機は、前記刷版の前記版面の温度をより正確に調節できる。
【００２２】
本発明の好ましい態様としては、前記温度調節手段は、前記版面の温度がより上昇しやすい前記刷版を有する前記グループほど、前記冷却水の温度をより低く調節することが望ましい。
【００２３】
上記構成により、前記印刷機は、冷却をより必要とする前記刷版の前記版面をより温度の低い前記冷却水によって冷却することで、冷却をより必要とする前記刷版の前記版面を他の刷版の版面よりもより冷却する。これにより、前記印刷機は、前記刷版の前記版面の実際の温度と適正な温度との差をより好適に低減できる。
【発明の効果】
【００２４】
本発明に係る印刷機は、刷版の版面の実際の温度と適温との差を低減できる。
【発明を実施するための最良の形態】
【００２５】
以下、この発明につき図面を参照しつつ詳細に説明する。なお、この発明を実施するための最良の形態（以下実施形態という）によりこの発明が限定されるものではない。また、下記実施形態における構成要素には、当業者が容易に想定できるもの、実質的に同一のもの、いわゆる均等の範囲のものが含まれる。
【００２６】
（実施形態１）
図１は、実施形態１に係る印刷機を示す概略図である。図１に示すように、本実施形態に係る印刷機１は、オフセット輪転印刷機として説明するが、本実施形態はこれに限定されない。印刷機１は、例えば、輪転印刷機ではなくオフセット枚葉印刷機であってもよい。印刷機１は、給紙装置１０１と、インフィード装置１０２と、印刷装置１０と、乾燥装置１０３と、冷却装置１０４と、ウェブパス装置１０５と、折機１０６と、排紙コンベア１０７と、制御装置１５とを含んで構成されている。
【００２７】
給紙装置１０１は、連続的に被記録媒体としてのウェブＷをインフィード装置１０２に供給する。インフィード装置１０２は、給紙装置１０１のウェブＷを印刷装置１０側に供給する。印刷装置１０は、例えば、第１印刷ユニット１１と、第２印刷ユニット１２と、第３印刷ユニット１３と、第４印刷ユニット１４とを含んで構成される。
【００２８】
第１印刷ユニット１１、第２印刷ユニット１２、第３印刷ユニット１３、第４印刷ユニット１４はそれぞれ、シアン、マゼンタ、イエロー、ブラック等の単色を重ねて印刷する。印刷装置１０は、ウェブＷの搬送経路Ｌの上流側、つまり給紙装置１０１側から、ウェブＷの搬送経路Ｌの下流側、つまり乾燥装置１０３側へ向けて順に、第１印刷ユニット１１、第２印刷ユニット１２、第３印刷ユニット１３、第４印刷ユニット１４が配置される。
【００２９】
乾燥装置１０３は、印刷装置１０により印刷が施されたウェブＷに熱風を吹きつけて乾燥させる。冷却装置１０４は、乾燥装置１０３で乾燥されたウェブＷを適当な温度まで冷却する。ウェブパス装置１０５は、乾燥されて冷却されたウェブＷを搬送する。折機１０６は、ウェブＷを縦折りにした後に裁断し、所定の大きさに折り畳んで折帳Ｓを形成する。排紙コンベア１０７は、折り畳まれた折帳Ｓを印刷機１から搬出する。
【００３０】
制御装置１５は、給紙装置１０１と、インフィード装置１０２と、印刷装置１０と、乾燥装置１０３と、冷却装置１０４と、ウェブパス装置１０５と、折機１０６と、排紙コンベア１０７と、それぞれ電気的に接続されて、各装置を制御する。
【００３１】
ウェブＷは、まず給紙装置１０１によりロールから引き出され、インフィード装置１０２により印刷装置１０に供給される。ウェブＷは、印刷装置１０で、多色印刷が施される。印刷されたウェブＷは、乾燥装置１０３でインキが乾燥される。次にウェブＷは、冷却装置１０４で冷却されて、ウェブパス装置１０５を経て折機１０６に供給される。折機１０６により折り畳まれたウェブＷは、折帳Ｓとなって排紙コンベア１０７により搬出される。
【００３２】
印刷装置１０の各印刷ユニット１１〜１４は、使用するインキの色が相違するのみで、その構成はほぼ同様である。以下、印刷装置１０の各印刷ユニット１１〜１４の構成を第４印刷ユニット１４で説明する。なお、印刷装置１０は、後述する水着ローラ４２と一方の往復ローラ３４ａとが対接した、いわゆるＩＴＤ湿し方式の印刷装置である。
【００３３】
図２は、実施形態１に係る印刷ユニットの内部を模式的に示す概略図である。図２に示すように、第４印刷ユニット１４は、第１ブランケット胴２０と、第２ブランケット胴２１とを備える。第１ブランケット胴２０は、搬送経路Ｌ上に沿って搬送されるウェブＷの一方の面である表面に接する。第２ブランケット胴２１は、ウェブＷを挟んで第１ブランケット胴２０に対向してウェブＷの表面と反対側の裏面に接する。
【００３４】
第１ブランケット胴２０及び第２ブランケット胴２１は、それぞれ回転できるように配置される。第４印刷ユニット１４は、第１ブランケット胴２０と、第２ブランケット胴２１とが同期して回転することにより、ウェブＷを搬送経路Ｌ上に沿って搬送すると共に、ウェブＷの両面に印刷を施す。
【００３５】
第４印刷ユニット１４は、版胴２５と、インキ壷２６と、インキローラ群２７と、水舟２８と、水ローラ群２９と、第１モータ２２と、第２モータ２３と、第３モータ３６と、第４モータ４４とをさらに備える。版胴２５は、第１ブランケット胴２０側に配置される版胴２５ａと、第２ブランケット胴２１側に配置される版胴２５ｂとを含んで構成される。
【００３６】
版胴２５ａは、回転できるように第１ブランケット胴２０と接して設けられる。インキ壷２６は、印刷用のインキを貯留する。インキローラ群２７は、インキ壷２６から版胴２５ａへインキを供給する。水舟２８は、版胴２５ａの版面に供給される水である湿し水を貯留する。水ローラ群２９は、水舟２８から版胴２５ａへ湿し水を供給する。なお、版胴２５ｂは、版胴２５ａとほぼ同様に構成されるため、以下の説明では、版胴２５ａ側を主に説明する。
【００３７】
版胴２５ａは、その側周面に印刷画像を形成するための刷版が装着される。刷版の画線部には、インキローラ群２７を介してインキ壷２６からインキが供給される。刷版の非画線部には、水ローラ群２９を介して水舟２８から湿し水が供給される。
【００３８】
第１モータ２２は、第１ブランケット胴２０を回転させる。第１モータ２２は、制御装置１５と電気的に接続される。これにより、制御装置１５は、第１モータ２２を制御することで第１ブランケット胴２０の回転を制御する。第２モータ２３は、第２ブランケット胴２１を回転させる。第２モータ２３は、制御装置１５と電気的に接続される。これにより、制御装置１５は、第２モータ２３を制御することで第２ブランケット胴２１の回転を制御する。
【００３９】
第１ブランケット胴２０は、その側周面に弾性材料で形成されたブランケットが装着される。前記ブランケットは、版胴２５ａの画線部に供給されたインキが転写される。第１ブランケット胴２０は、第１モータ２２を動力源として回転することで、ウェブＷの表面にインキを転写する。第２ブランケット胴２１は、第２モータ２３を動力源として回転することで、ウェブＷの裏面にインキを転写する。
【００４０】
インキローラ群２７は、インキ壷２６から版胴２５ａに向かってインキが供給されるインキ供給経路ＬＩの上流側から順に、インキ元ローラ３１と、呼出ローラ３２と、中間インキローラ群３３と、水冷ローラとしての複数の往復ローラ３４と、複数のインキ着ローラ３５とが配置される。
【００４１】
往復ローラ３４は、往復ローラ３４ａ、往復ローラ３４ｂ、往復ローラ３４ｃ、往復ローラ３４ｄを含んで構成される。インキ着ローラ３５は、インキ着ローラ３５ａ、インキ着ローラ３５ｂ、インキ着ローラ３５ｃを含んで構成される。
【００４２】
インキローラ群２７を構成する各ローラは、それぞれ回転できるように配置される。インキ元ローラ３１は、呼出ローラ３２と接して配置される。呼出ローラ３２は、中間インキローラ群３３と接して配置される。中間インキローラ群３３は、往復ローラ３４ａ、往復ローラ３４ｂ、往復ローラ３４ｃ、往復ローラ３４ｄと接して配置される。
【００４３】
往復ローラ３４ａ、往復ローラ３４ｂは、３つのインキ着ローラ３５ａ、インキ着ローラ３５ｂ、インキ着ローラ３５ｃと接して配置される。また、インキ着ローラ３５ａ、インキ着ローラ３５ｂ、インキ着ローラ３５ｃは、版胴２５ａにそれぞれ接して配置される。往復ローラ３４ｃ、往復ローラ３４ｄは、中間インキローラ群３３を構成する各煉りローラと接して配置される。
【００４４】
第３モータ３６は、インキ元ローラ３１を回転させる。第３モータ３６は、制御装置１５と電気的に接続される。これにより、制御装置１５は、第３モータ３６を制御することでインキ元ローラ３１の回転を制御する。
【００４５】
水ローラ群２９は、水舟２８から版胴２５ａへ向けて水が供給される水供給経路ＬＷの上流側から順に、水元ローラ４０と、調量ローラ４１と、水着ローラ４２とが配置される。水ローラ群２９を構成する各ローラは、それぞれ回転できるように配置される。水元ローラ４０は、調量ローラ４１と接して配置される。
【００４６】
調量ローラ４１は、水着ローラ４２と接して配置される。水着ローラ４２は、版胴２５ａと接して配置されると共に、版胴２５ａに接した状態で往復ローラ３４ａ、往復ローラ３４ｂのうち、一方の往復ローラ３４ａに離れたり接したりできるように配置される。
【００４７】
第４モータ４４は、水元ローラ４０を回転させる。第４モータ４４は、制御装置１５と電気的に接続される。これにより、制御装置１５は、第４モータ４４を制御することで水元ローラ４０の回転を制御する。
【００４８】
インキローラ群２７及び水ローラ群２９の各ローラが回転すると、インキ元ローラ３１によりインキ壷２６から練り出されたインキは、呼出ローラ３２を介して中間インキローラ群３３に供給される。次にインキは、中間インキローラ群３３及び往復ローラ３４ａ、往復ローラ３４ｂ、往復ローラ３４ｃ、往復ローラ３４ｄで適度に練られて薄膜が形成される。次にインキは、３つのインキ着ローラ３５ａ、インキ着ローラ３５ｂ、インキ着ローラ３５ｃから版胴２５ａの刷版に供給される。刷版に付着したインキは、第１ブランケット胴２０に転写され、ウェブＷに転写される。
【００４９】
水元ローラ４０により水舟２８から汲み上げられた湿し水は、調量ローラ４１を介して水着ローラ４２に供給される。次に湿し水は、水着ローラ４２から版胴２５ａ及び往復ローラ３４ａに供給される。往復ローラ３４ａに供給された湿し水は、インキと混ざり合うことにより、インキを乳化させる。また、版胴２５ａに供給された湿し水は、版胴２５ａに装着された刷版の版面の温度を低下させる。つまり、湿し水は、インキを乳化させる機能と、刷版の版面を冷却する機能とを実現する。なお、以下、「版面の温度」を単に「版面温度」という。
【００５０】
ここで、図１に示す印刷装置１０の各印刷ユニット１１〜１４の中は、近傍に配置される熱源から熱を受けて図２に示す版胴２５ａに装着される刷版の版面温度が他の印刷ユニットの版面温度よりも高くなるおそれがある。熱源とは、例えば、図１に示す乾燥装置１０３である。第４印刷ユニット１４は、他の印刷ユニットの中で最も乾燥装置１０３側に配置される。よって、通常、第４印刷ユニット１４の版胴２５ａに装着される刷版の版面温度は、乾燥装置１０３から受けた熱の分、他の印刷ユニットの版胴２５ａに装着される刷版の版面温度よりも高くなる。
【００５１】
また、第３印刷ユニット１３は、第１印刷ユニット１１及び第２印刷ユニット１２よりも乾燥装置１０３側に配置される。よって、通常、第３印刷ユニット１３の版胴２５ａに装着される刷版の版面温度は、乾燥装置１０３から受けた熱の分、第１印刷ユニット１１及び第２印刷ユニット１２の版胴２５ａに装着される刷版の版面温度よりも高くなる。
【００５２】
また、第２印刷ユニット１２は、第１印刷ユニット１１よりも乾燥装置１０３側に配置される。よって、通常、第２印刷ユニット１２の版胴２５ａに装着される刷版の版面温度は、乾燥装置１０３から受けた熱の分、第１印刷ユニット１１の版胴２５ａに装着される刷版の版面温度よりも高くなる。
【００５３】
つまり、刷版は、通常、第４印刷ユニット１４内に装着される刷版、第３印刷ユニット１３内に装着される刷版、第２印刷ユニット１２内に装着される刷版、第１印刷ユニット１１内に装着される刷版の順に版面温度が高くなる。さらに、印刷装置１０の各印刷ユニット１１〜１４内でも、図２に示す、第１ブランケット胴２０に接する版胴２５ａに装着される刷版の版面温度と、第２ブランケット胴２１に接する版胴２５ｂに装着される刷版の版面温度とは異なる。
【００５４】
版胴２５ａは、通常、印刷装置１０が設置されて運転される時、版胴２５ｂよりも各印刷ユニット１１〜１４内で鉛直方向上部側に配置される。つまり、版胴２５ｂは、地面と版胴２５ａ側の印刷ユニットとに挟まれているのに対し、版胴２５ａは、鉛直方向上部が開放されている。これにより、各印刷ユニット１１〜１４の鉛直方向下部側に配置される版胴２５ｂに装着される刷版の版面温度は、各印刷ユニット１１〜１４の鉛直方向上部側に配置される版胴２５ａに装着される刷版の版面温度よりも高い。
【００５５】
これにより、印刷装置１０を構成する各印刷ユニット１１〜１４の版胴に装着される刷版は、版面温度が高い順に、第４印刷ユニット１４の版胴２５ｂに装着される刷版の版面、第４印刷ユニット１４の版胴２５ａに装着される刷版の版面、第３印刷ユニット１３の版胴２５ｂに装着される刷版の版面、第３印刷ユニット１３の版胴２５ａに装着される刷版の版面、第２印刷ユニット１２の版胴２５ｂに装着される刷版の版面、第２印刷ユニット１２の版胴２５ａに装着される刷版の版面、第１印刷ユニット１１の版胴２５ｂに装着される刷版の版面、第１印刷ユニット１１の版胴２５ａに装着される刷版の版面となる。
【００５６】
ここで、各版胴２５に装着される刷版の版面温度が適温よりも高くなると、湿し水の粘度が高くなり湿し水が刷版の版面に均一に供給されず、網点形状の悪化、インキの付着の悪化、印刷濃度の変化、インキの過剰な乳化、等のおそれがある。つまり、刷版の版面温度が適温よりも高くなると、印刷機１の印刷品質が低下するおそれがある。
【００５７】
具体的には、上述したように、印刷装置１０の各印刷ユニット１１〜１４によって、刷版の版面温度は異なる。よって、印刷装置１０の印刷ユニットによっては、特に最も刷版の版面温度が高くなりやすい第４印刷ユニット１４では、印刷品質が低下するおそれがある。そこで、印刷装置１０は、各印刷ユニット１１〜１４に所定のグループの単位で刷版の版面温度を調節する温度調節手段としての温度調節装置５０を備える。
【００５８】
図３は、実施形態１に係る温度調節装置の構成を示す模式図である。温度調節装置５０は、図３に示すように、タンク５１と、添加剤供給装置５２と、湿し水用ポンプ５３と、各印刷ユニット１１〜１４に設けられる熱交換装置５４１ａ、熱交換装置５４１ｂ、熱交換装置５４２ａ、熱交換装置５４２ｂ、熱交換装置５４３ａ、熱交換装置５４３ｂ、熱交換装置５４４ａ、熱交換装置５４４ｂと、温度検出手段としての温度センサＴと、排水処理装置５５とを含んで構成される。
【００５９】
タンク５１は、湿し水を溜める。添加剤供給装置５２は、タンク５１内の湿し水に、添加剤を注入する。ここで、前記添加剤は、湿し水の表面張力を下げる。これにより、湿し水は、より細かい非画線部に供給される。また、添加剤は、湿し水の乾燥を抑制する。これにより、前記添加剤は、インキが刷版に付く前に湿し水が蒸発するおそれを抑制する。また、刷版の版面は絶えずローラ、ブランケットの摩擦を受け、さらに紙粉やコート剤等で傷つくおそれがある。添加剤は、これらの傷を修復する機能も実現する。
【００６０】
ここで、印刷装置１０は、水舟２８を合計８個有する。前記８個の水舟２８を、水舟２８１ａ、水舟２８１ｂ、水舟２８２ａ、水舟２８２ｂ、水舟２８３ａ、水舟２８３ｂ、水舟２８４ａ、水舟２８４ｂとする。水舟２８１ａは、第１印刷ユニット１１の版胴２５ａに供給される湿し水を溜める。水舟２８１ｂは、第１印刷ユニット１１の版胴２５ｂに供給される湿し水を溜める。
【００６１】
水舟２８２ａは、第２印刷ユニット１２の版胴２５ａに供給される湿し水を溜める。水舟２８２ｂは、第２印刷ユニット１２の版胴２５ｂに供給される湿し水を溜める。水舟２８３ａは、第３印刷ユニット１３の版胴２５ａに供給される湿し水を溜める。水舟２８３ｂは、第３印刷ユニット１３の版胴２５ｂに供給される湿し水を溜める。水舟２８４ａは、第４印刷ユニット１４の版胴２５ａに供給される湿し水を溜める。水舟２８４ｂは、第４印刷ユニット１４の版胴２５ｂに供給される湿し水を溜める。
【００６２】
湿し水用ポンプ５３は、各熱交換装置５４１ａ〜５４４ｂに湿し水を供給する。ここで、各熱交換装置５４１ａ〜５４４ｂはそれぞれが並列になるように、湿し水用ポンプ５３と配管で接続される。なお、「並列」とは、複数の熱交換装置が、互いに湿し水の流れの上流側や下流側に配置されない状態をいう。つまり、各熱交換装置５４１ａ〜５４４ｂのいずれか１つの熱交換装置を経た湿し水は、他の熱交換装置に供給されない。
【００６３】
各水舟２８は、排水処理装置５５と配管で接続される。これより、各水舟２８に供給された湿し水の一部は、前記配管を介して排水処理装置５５に排出される。
【００６４】
各熱交換装置５４１ａ〜５４４ｂは、冷媒と熱交換することで湿し水を冷却する。各熱交換装置５４１ａ〜５４４ｂは、印刷装置１０の各印刷ユニット１１〜１４の水舟２８ごとに、例えば８個設けられる。
【００６５】
ここで、上述のように、湿し水は刷版の版面温度を低下させる機能を実現する。よって、温度調節装置５０は、湿し水を冷却することによって刷版の版面温度を低下させる。温度調節装置５０は、合計８個設けられる版胴２５の刷版を１つずつ合計８個のグループに分けて、各熱交換装置５４１ａ〜５４４ｂで各グループの水舟２８内の湿し水を冷却することで、各グループで個別に版胴２５に装着される刷版の版面を冷却する。なお、ここでの「グループ」は、複数の刷版から構成されるものに限定されず、単数の刷版から構成されるものも含まれる。
【００６６】
具体的には、熱交換装置５４１ａは、水舟２８１ａに冷却された湿し水を供給するように第１印刷ユニット１１に設けられる。熱交換装置５４１ｂは、水舟２８１ｂに冷却された湿し水を供給するように第１印刷ユニット１１に設けられる。
【００６７】
熱交換装置５４２ａは、水舟２８２ａに冷却された湿し水を供給するように第２印刷ユニット１２に設けられる。熱交換装置５４２ｂは、水舟２８２ｂに冷却された湿し水を供給するように第２印刷ユニット１２に設けられる。
【００６８】
熱交換装置５４３ａは、水舟２８３ａに冷却された湿し水を供給するように第３印刷ユニット１３に設けられる。熱交換装置５４３ｂは、水舟２８３ｂに冷却された湿し水を供給するように第３印刷ユニット１３に設けられる。
【００６９】
熱交換装置５４４ａは、水舟２８４ａに冷却された湿し水を供給するように第４印刷ユニット１４に設けられる。熱交換装置５４４ｂは、水舟２８４ｂに冷却された湿し水を供給するように第４印刷ユニット１４に設けられる。
【００７０】
各熱交換装置５４１ａ〜５４４ｂは、複数の温度センサＴとそれぞれ電気的に接続される。具体的には、温度センサＴは、温度センサＴ１ａ、温度センサＴ１ｂ、温度センサＴ２ａ、温度センサＴ２ｂ、温度センサＴ３ａ、温度センサＴ３ｂ、温度センサＴ４ａ、温度センサＴ４ｂを含んで構成される。
【００７１】
温度センサＴ１ａは、水舟２８１ａ内の湿し水の温度を検出する。熱交換装置５４１ａは、この温度に基づいて熱交換装置５４１ａに供給される冷媒の流量が調節される。つまり、熱交換装置５４１ａは、温度センサＴ１ａが検出した水舟２８１ａ内の湿し水の温度に基づいて湿し水の温度を調節する。
【００７２】
熱交換装置５４１ａによって、温度を調節された湿し水は、第１印刷ユニット１１の版胴２５ａに装着された刷版の版面に供給される。これにより、熱交換装置５４１ａは、第１印刷ユニット１１の版胴２５ａに装着された刷版の版面温度を調節する。
【００７３】
温度センサＴ１ｂは、水舟２８１ｂ内の湿し水の温度を検出する。熱交換装置５４１ｂは、この温度に基づいて熱交換装置５４１ｂに供給される冷媒の流量が調節される。つまり、熱交換装置５４１ｂは、温度センサＴ１ｂが検出した水舟２８１ｂ内の湿し水の温度に基づいて湿し水の温度を調節する。
【００７４】
熱交換装置５４１ｂによって、温度を調節された湿し水は、第１印刷ユニット１１の版胴２５ｂに装着された刷版の版面に供給される。これにより、熱交換装置５４１ｂは、第１印刷ユニット１１の版胴２５ｂに装着された刷版の版面温度を調節する。
【００７５】
温度センサＴ２ａは、水舟２８２ａ内の湿し水の温度を検出する。熱交換装置５４２ａは、この温度に基づいて熱交換装置５４２ａに供給される冷媒の流量が調節される。つまり、熱交換装置５４２ａは、温度センサＴ２ａが検出した水舟２８２ａ内の湿し水の温度に基づいて湿し水の温度を調節する。
【００７６】
熱交換装置５４２ａによって、温度を調節された湿し水は、第２印刷ユニット１２の版胴２５ａに装着された刷版の版面に供給される。これにより、熱交換装置５４２ａは、第２印刷ユニット１２の版胴２５ａに装着された刷版の版面温度を調節する。
【００７７】
温度センサＴ２ｂは、水舟２８２ｂ内の湿し水の温度を検出する。熱交換装置５４２ｂは、この温度に基づいて熱交換装置５４２ｂに供給される冷媒の流量が調節される。つまり、熱交換装置５４２ｂは、温度センサＴ２ｂが検出した水舟２８２ｂ内の湿し水の温度に基づいて湿し水の温度を調節する。
【００７８】
熱交換装置５４２ｂによって、温度を調節された湿し水は、第２印刷ユニット１２の版胴２５ｂに装着された刷版の版面に供給される。これにより、熱交換装置５４２ｂは、第２印刷ユニット１２の版胴２５ｂに装着された刷版の版面温度を調節する。
【００７９】
温度センサＴ３ａは、水舟２８３ａ内の湿し水の温度を検出する。熱交換装置５４３ａは、この温度に基づいて熱交換装置５４３ａに供給される冷媒の流量が調節される。つまり、熱交換装置５４３ａは、温度センサＴ３ａが検出した水舟２８３ａ内の湿し水の温度に基づいて湿し水の温度を調節する。
【００８０】
熱交換装置５４３ａによって、温度を調節された湿し水は、第３印刷ユニット１３の版胴２５ａに装着された刷版の版面に供給される。これにより、熱交換装置５４３ａは、第３印刷ユニット１３の版胴２５ａに装着された刷版の版面温度を調節する。
【００８１】
温度センサＴ３ｂは、水舟２８３ｂ内の湿し水の温度を検出する。熱交換装置５４３ｂは、この温度に基づいて熱交換装置５４３ｂに供給される冷媒の流量が調節される。つまり、熱交換装置５４３ｂは、温度センサＴ３ｂが検出した水舟２８３ｂ内の湿し水の温度に基づいて湿し水の温度を調節する。
【００８２】
熱交換装置５４３ｂによって、温度を調節された湿し水は、第３印刷ユニット１３の版胴２５ｂに装着された刷版の版面に供給される。これにより、熱交換装置５４３ｂは、第３印刷ユニット１３の版胴２５ｂに装着された刷版の版面温度を調節する。
【００８３】
温度センサＴ４ａは、水舟２８４ａ内の湿し水の温度を検出する。熱交換装置５４４ａは、この温度に基づいて熱交換装置５４４ａに供給される冷媒の流量が調節される。つまり、熱交換装置５４４ａは、温度センサＴ４ａが検出した水舟２８４ａ内の湿し水の温度に基づいて湿し水の温度を調節する。
【００８４】
熱交換装置５４４ａによって、温度を調節された湿し水は、第４印刷ユニット１４の版胴２５ａに装着された刷版の版面に供給される。これにより、熱交換装置５４４ａは、第４印刷ユニット１４の版胴２５ａに装着された刷版の版面温度を調節する。
【００８５】
温度センサＴ４ｂは、水舟２８４ｂ内の湿し水の温度を検出する。熱交換装置５４４ｂは、この温度に基づいて熱交換装置５４４ｂに供給される冷媒の流量が調節される。つまり、熱交換装置５４４ｂは、温度センサＴ４ｂが検出した水舟２８４ｂ内の湿し水の温度に基づいて湿し水の温度を調節する。
【００８６】
熱交換装置５４４ｂによって、温度を調節された湿し水は、第４印刷ユニット１４の版胴２５ｂに装着された刷版の版面に供給される。これにより、熱交換装置５４４ｂは、第４印刷ユニット１４の版胴２５ｂに装着された刷版の版面温度を調節する。
【００８７】
各温度センサＴが検出した水舟２８内の湿し水の温度が、例えば、所定の温度αよりも高い場合に、水舟２８内の湿し水の温度が所定の温度α以下になるまで、それぞれの熱交換装置に供給される冷媒の流量は増やされる。つまり、熱交換装置は、水舟２８内の湿し水の温度が、所定の温度αよりも高い場合に、水舟２８内の湿し水の温度を低下させる。
【００８８】
所定の温度αは、例えば、各熱交換装置５４１ａ〜５４４ｂで全て同じ値に設定される。図１に示す乾燥装置１０３に最も近い第４印刷ユニット１４が備える水舟２８内の湿し水は、乾燥装置１０３から熱を受けて、他の水舟２８内の湿し水よりも温度が高くなりやすい。つまり、第４印刷ユニット１４が備える水舟２８内の湿し水の温度は、他の水舟２８内の湿し水の温度よりも早期に所定の温度αよりも高くなる。
【００８９】
よって、各熱交換装置５４１ａ〜５４４ｂの所定の温度αが一定であっても、第４印刷ユニット１４の水舟２８４ａに冷却された湿し水を供給する熱交換装置５４４ａ及び水舟２８４ｂに冷却された湿し水を供給する熱交換装置５４４ｂは、早期から冷媒の供給量が増加されて自然と他の各熱交換装置５４１ａ〜５４３ｂよりも湿し水をより冷却する。
【００９０】
なお、所定の温度αは、各グループで異なって設定されると好ましい。具体的には、第４印刷ユニット１４の水舟２８４ａに冷却された湿し水を供給する熱交換装置５４４ａ及び水舟２８４ｂに冷却された湿し水を供給する熱交換装置５４４ｂの所定の温度αが、他の熱交換装置５４１ａ〜５４３ｂの所定の温度αよりも低い温度に設定されれば、熱交換装置５４４ａ及び熱交換装置５４４ｂは、さらに早期の段階で供給される冷媒の流量が増加される。よって、熱交換装置５４４ａ及び熱交換装置５４４ｂは、他の熱交換装置５４１ａ〜５４３ｂよりもさらに好適に湿し水を冷却できる。
【００９１】
ここで、上述のように、第４印刷ユニット１４内でも、版胴２５ｂに装着される刷版の版面温度の方が、版胴２５ａに装着される刷版の版面温度よりも高い。よって、熱交換装置５４４ｂの所定の温度αは、熱交換装置５４４ａの所定の温度よりも低い温度に設定されるとさらに好ましい。これにより、熱交換装置５４４ｂは、熱交換装置５４４ａよりも湿し水を冷却できる。
【００９２】
また、各熱交換装置５４１ａ〜５４４ｂは、湿し水に対して必要とされる冷却の程度によって、所定の温度α以外に、所定の温度βや所定の温度γを段階的に有してもよい。この場合、例えば、所定の温度α＜所定の温度β＜所定の温度γとなるように設定する。
【００９３】
各熱交換装置５４１ａ〜５４４ｂは、水舟２８内の湿し水の温度が所定の温度βよりも高い場合、水舟２８内の湿し水の温度が所定の温度αと所定の温度βとの間の場合よりも各熱交換装置５４１ａ〜５４４ｂに供給される冷媒の流量を増やす。つまり、各熱交換装置５４１ａ〜５４４ｂは、水舟２８に供給する湿し水をより冷却する。
【００９４】
また、各熱交換装置５４１ａ〜５４４ｂは、水舟２８内の湿し水の温度が所定の温度γよりも高い場合、水舟２８内の湿し水の温度が所定の温度γ以下の場合よりも各熱交換装置５４１ａ〜５４４ｂに供給される冷媒の流量を増やす。つまり、各熱交換装置５４１ａ〜５４４ｂは、水舟２８に供給する湿し水をさらにより冷却する。
【００９５】
上記構成により、温度調節装置５０は、段階的に所定の温度が設定されることにより、より細かく水舟２８内の湿し水の温度を調節できる。これにより、温度調節装置５０は、各版胴２５に装着される刷版の版面の実際の温度と適温との差をより好適に低減できる。
【００９６】
また、各熱交換装置５４１ａ〜５４４ｂは、所定の温度αや、所定の温度βや、所定の温度γに代えて、水舟２８内の湿し水の温度と、刷版の版面温度を適温に保つのに必要な冷媒の流量との関係をマップとして有してもよい。前記マップでは、水舟２８内の湿し水の温度が高いほど、各熱交換装置５４１ａ〜５４４ｂに供給される冷媒の流量が多くなる。
【００９７】
各熱交換装置５４１ａ〜５４４ｂは、前記マップに基づいて、各熱交換装置５４１ａ〜５４４ｂに供給される冷媒の流量が変動する。つまり、各熱交換装置５４１ａ〜５４４ｂは、水舟２８内の湿し水の温度が高いほど、各熱交換装置５４１ａ〜５４４ｂに供給される冷媒の流量が多くなる。よって、各熱交換装置５４１ａ〜５４４ｂは、水舟２８内の湿し水の温度が高いほど水舟２８に供給する湿し水をより冷却する。
【００９８】
ここで、上述のように、印刷装置１０を構成する各印刷ユニット１１〜１４の版胴２５に装着される刷版の版面温度は、高い順に、第４印刷ユニット１４の版胴２５ｂに装着される刷版の版面、第４印刷ユニット１４の版胴２５ａに装着される刷版の版面、第３印刷ユニット１３の版胴２５ｂに装着される刷版の版面、第３印刷ユニット１３の版胴２５ａに装着される刷版の版面、第２印刷ユニット１２の版胴２５ｂに装着される刷版の版面、第２印刷ユニット１２の版胴２５ａに装着される刷版の版面、第１印刷ユニット１１の版胴２５ｂに装着される刷版の版面、第１印刷ユニット１１の版胴２５ａに装着される刷版の版面、となる。
【００９９】
よって、各熱交換装置５４１ａ〜５４４ｂは、冷媒の流量が多く設定される順、つまり、冷却性が高い順に、熱交換装置５４４ｂ、熱交換装置５４４ａ、熱交換装置５４３ｂ、熱交換装置５４３ａ、熱交換装置５４２ｂ、熱交換装置５４２ａ、熱交換装置５４１ｂ、熱交換装置５４１ａとなる。なお、「冷却性」とは、冷却の対象の温度を低下させる程度のことをいう。熱交換装置の冷却性が高いほど、冷却の対象はより温度が低下させられる。
【０１００】
上記構成により、各熱交換装置５４１ａ〜５４４ｂは、それぞれが個別に水舟２８内の湿し水の温度を適温に維持する。つまり、温度調節装置５０は、各印刷ユニット１１〜１４の各版胴２５に装着される刷版の版面の実際の温度と適温との差を低減できる。なお、ここでの「適温」とは、例えば、２８度〜３０度である。
【０１０１】
なお、温度調節装置５０は、各温度センサＴが検出した温度に基づいて、各熱交換装置へ供給される冷媒の流量が調節されたが、本実施形態はこれに限定されない。温度調節装置５０は、各温度センサＴを備えなくても、版面温度がより高くなりやすい刷版に供給される湿し水を溜める水舟２８に湿し水を供給する熱交換装置ほど、冷媒の流量が多くなるように各熱交換装置が構成されればよい。これにより、温度調節装置５０は、刷版の版面温度と適温との差を低減できる。
【０１０２】
（変形例１）
図４は、変形例１に係る温度調節装置の構成を示す模式図である。温度調節装置５０Ａは、各印刷ユニット１１〜１４の全ての版胴２５に装着される刷版を１つずつ合計８個のグループに分けずに、複数の版胴２５に装着される刷版を１つのグループとしてまとめて、各グループに１つずつ熱交換装置を備える点に特徴がある。
【０１０３】
温度調節装置５０Ａは、第１印刷ユニット１１の版胴２５ａ及び版胴２５ｂに装着される刷版と、第２印刷ユニット１２の版胴２５ａ及び版胴２５ｂに装着される刷版と、第３印刷ユニット１３の版胴２５ａ及び版胴２５ｂに装着される刷版とを１つのグループとして湿し水の温度を調節する。また、温度調節装置５０Ａは、第４印刷ユニット１４の版胴２５ａ及び版胴２５ｂに装着される刷版をもう１つのグループとして湿し水の温度を調節する。
【０１０４】
温度調節装置５０Ａは、熱交換装置５４５ａと、熱交換装置５４５ｂと、温度センサＴ２３ｂと、温度センサＴ２４ｂとを備える。ここで、熱交換装置５４５ａと、熱交換装置５４５ｂとは、それぞれが並列になるように、湿し水用ポンプ５３と配管で接続される。つまり、熱交換装置５４５ａまたは熱交換装置５４５ｂとの一方の熱交換装置を経た湿し水は、他方の熱交換装置に供給されない。
【０１０５】
温度センサＴ２３ｂは、第１印刷ユニット１１と、第２印刷ユニット１２と、第３印刷ユニット１３との中で、最も刷版の版面温度が高くなりやすい刷版を装着する版胴２５ｂに供給される湿し水を溜める水舟２８３ｂ内の湿し水の温度を検出し、この温度に基づいて熱交換装置５４５ａに供給される冷媒の流量を調節する。つまり、熱交換装置５４５ａは、温度センサＴ２３ｂが検出した水舟２８３ｂ内の湿し水の温度に基づいて湿し水の温度を調節する。
【０１０６】
なお、温度センサＴ２３ｂは、水舟２８１ａ内の湿し水の温度、水舟２８１ｂ内の湿し水の温度、水舟２８２ａ内の湿し水の温度、水舟２８２ｂ内の湿し水の温度、水舟２８３ａ内の湿し水の温度のいずれかを検出するものでもよい。但し、最も冷却された湿し水を必要とする水舟２８３ｂ内の湿し水の温度を検出することによって、つまり熱交換装置５４５ａの冷却性を十分に確保しておくことで、温度調節装置５０Ａは、より確実に刷版の版面温度の上昇を抑制できる。
【０１０７】
熱交換装置５４５ａは、水舟２８１ａと、水舟２８１ｂと、水舟２８２ａと、水舟２８２ｂと、水舟２８３ａと、水舟２８３ｂとに熱交換装置５４５ａが冷却した湿し水を供給する。
【０１０８】
熱交換装置５４５ａは、水舟２８１ａと、水舟２８１ｂと、水舟２８２ａと、水舟２８２ｂと、水舟２８３ａと、水舟２８３ｂとは、熱交換装置５４５ａと配管で並列または直列に接続される。なお、「直列」とは、複数の熱交換装置のうち、一方の熱交換装置が、他方の熱交換装置よりも湿し水の流れの上流側や下流側に配置される状態をいう。
【０１０９】
各水舟２８が熱交換装置５４５ａと直列に接続される場合、つまり、いずれかの水舟２８から排出された湿し水が他の水舟２８に供給されるように接続される場合は、版胴に装着される刷版の版面温度が高い順に、熱交換装置５４５ａから吐出された湿し水が供給されると好ましい。
【０１１０】
例えば、本実施形態の場合、熱交換装置５４５ａと接続される複数の水舟２８のうち、水舟２８３ｂが、最も冷却された湿し水を必要とする。よって、各水舟２８が熱交換装置５４５ａと直列に接続される場合、水舟２８３ｂ、水舟２８３ａ、水舟２８２ｂ、水舟２８２ａ、水舟２８１ｂ、水舟２８１ａの順に、湿し水が供給されると好ましい。
【０１１１】
これにより、熱交換装置５４５ａが冷却した直後の湿し水であって、最も温度が低い状態の時の湿し水が、最も冷却される必要がある刷版が装着される版胴に供給される湿し水を溜める水舟２８に供給される。結果として、温度調節装置５０Ａは、刷版の版面温度と適温との差が大きくなりやすい刷版の版面を十分に冷却できる。
【０１１２】
温度センサＴ２４ｂは、第４印刷ユニット１４で、最も刷版の版面温度が高くなりやすい刷版を装着する版胴２５ｂに供給される湿し水を溜める水舟２８４ｂ内の湿し水の温度を検出し、この温度に基づいて熱交換装置５４５ｂに供給される冷媒の流量を調節する。つまり、熱交換装置５４５ｂは、温度センサＴ２４ｂが検出した水舟２８４ｂ内の湿し水の温度に基づいて湿し水の温度を調節する。
【０１１３】
なお、温度センサＴ２４ｂは、水舟２８４ａ内の湿し水の温度を検出するものでもよい。但し、最も冷却された湿し水を必要とする水舟２８４ｂ内の湿し水の温度を検出することによって、つまり熱交換装置５４５ｂの冷却性を十分に確保しておくことで、温度調節装置５０Ａは、より確実に刷版の版面温度の上昇を抑制できる。
【０１１４】
熱交換装置５４５ｂは、水舟２８４ａと、水舟２８４ｂとに熱交換装置５４５ｂが冷却した湿し水を供給する。熱交換装置５４５ｂは、水舟２８４ａと、水舟２８４ｂと配管で並列または直列に接続される。水舟２８４ａと、水舟２８４ｂとが熱交換装置５４５ｂと直列に接続される場合、つまり、一方の水舟２８から排出された湿し水が他方の水舟２８に供給されるように接続される場合は、版胴に装着される刷版の版面温度が高い順に、熱交換装置５４５ｂから吐出された湿し水が供給されると好ましい。
【０１１５】
例えば、本実施形態の場合、水舟２８４ａよりも水舟２８４ｂの方が冷却された湿し水を必要とする。よって、各水舟２８が熱交換装置５４５ｂと直列に接続される場合、水舟２８４ｂ、水舟２８４ａの順に湿し水が供給されると好ましい。
【０１１６】
これにより、熱交換装置５４５ｂが冷却した直後の湿し水であって、最も温度が低い状態の時の湿し水が最も冷却される必要がある刷版が装着される版胴に供給される湿し水を溜める水舟２８に供給される。結果として、温度調節装置５０Ａは、最も、刷版の版面温度と適温との差が大きくなりやすい刷版の版面を十分に冷却できる。
【０１１７】
ここで、熱交換装置５４５ｂから吐出される湿し水の温度は、熱交換装置５４５ａから吐出される湿し水の温度よりも低くなるように設定される。具体的には、熱交換装置５４５ｂの所定の温度は、熱交換装置５４５ａの所定の温度よりも小さく設定される。
【０１１８】
または、熱交換装置５４５ａ及び熱交換装置５４５ｂは、水舟２８内の湿し水の温度と、刷版の版面温度を適温に保つのに必要な冷媒の流量との関係をマップとして有する。前記マップでは、水舟２８内の湿し水の温度が高いほど、各熱交換装置５４１ａ〜５４４ｂに供給される冷媒の流量が多くなる。ここで、熱交換装置５４５ｂの前記マップは、熱交換装置５４５ａの前記マップよりも、湿し水の温度の上昇による冷媒の流量の増加率が高く設定される。
【０１１９】
上記構成のように、温度調節装置５０Ａは、複数の版胴２５に装着される刷版を１つのグループとしてまとめて前記グループごとに熱交換装置を備える。これにより、複数の版胴２５それぞれに１つずつ熱交換装置を備える場合よりも、温度調節装置５０Ａは、設けられる熱交換装置の数を低減できる。また、温度調節装置５０Ａは、より刷版の版面温度が高くなりやすい前記グループの水舟２８に、冷却性が高い熱交換装置５４５ｂからより冷却された湿し水を供給する。これにより、温度調節装置５０Ａは、刷版の版面温度と適温との差を低減できる。
【０１２０】
（変形例２）
図５は、変形例２に係る温度調節装置の構成を示す模式図である。温度調節装置５０Ｂは、版面温度が比較的高くなりやすい刷版に供給される湿し水を溜める水舟２８に供給される湿し水をより冷却する点に特徴がある。
【０１２１】
温度調節装置５０Ｂは、温度調節装置５０Ａと同様に、２つのグループに分けて各版胴２５に装着される刷版を冷却する。但し、前記２つのグループのうち、一方のグループは、全ての版胴２５に装着する刷版が含まれ、他方のグループは、前記一方のグループ内に含まれる複数の版胴２５に装着する刷版により構成される。つまり、版胴２５の中のいくつかは、一方のグループと他方のグループとの両方に含まれる。
【０１２２】
温度調節装置５０Ｂは、各印刷ユニット１１〜１４の版胴２５ａ及び版胴２５ｂに装着される刷版全てを１つのグループとして湿し水の温度を調節する。また、温度調節装置５０Ｂは、第４印刷ユニット１４の版胴２５ａ及び版胴２５ｂに装着される刷版をもう１つのグループとして湿し水の温度を調節する。つまり、第４印刷ユニット１４の版胴２５ａ及び版胴２５ｂは、一方のグループと他方のグループとの両方に含まれて、２回冷却される。
【０１２３】
一般的に、湿し水は、タンク５１に溜められている時点で、熱交換装置によって冷却される。しかしながら、この場合、比較的に版面温度が高くなりやすい刷版では、湿し水での冷却が不十分になるおそれがある。そこで、温度調節装置５０Ｂは、タンク５１内で熱交換装置５４６ａが冷却した湿し水を、さらに熱交換装置５４５ｂで冷却してから、比較的に版面温度が高くなりやすい刷版に湿し水を供給する。
【０１２４】
温度調節装置５０Ｂは、熱交換装置５４６ａと、熱交換装置５４５ｂと、温度センサＴ３１と、温度センサＴ２４ｂとを備える。ここで、熱交換装置５４５ｂ及び温度センサＴ２４ｂの構成は、温度調節装置５０Ａの熱交換装置５４５ｂ及び温度センサＴ２４ｂの構成と同様である。
【０１２５】
温度センサＴ３１は、例えば、タンク５１内の湿し水の温度を検出するが、例えば、第１印刷ユニット１１と、第２印刷ユニット１２と、第３印刷ユニット１３との中で、最も刷版の版面温度が高くなりやすい刷版を装着する版胴２５ｂに供給される湿し水を溜める水舟２８３ｂ内の湿し水の温度を検出してもよい。
【０１２６】
熱交換装置５４６ａは、温度センサＴ３１が検出した温度に基づいて、熱交換装置５４６ａに供給される冷媒の流量を調節する。つまり、熱交換装置５４６ａは、温度センサＴ３１が検出した湿し水の温度に基づいて湿し水の温度を調節する。
【０１２７】
なお、温度センサＴ３１は、水舟２８１ａ内の湿し水の温度、水舟２８１ｂ内の湿し水の温度、水舟２８２ａ内の湿し水の温度、水舟２８２ｂ内の湿し水の温度、水舟２８３ａ内の湿し水の温度のいずれかを検出するものでもよい。
【０１２８】
但し、最も冷却された湿し水を必要とする水舟２８３ｂ内の湿し水の温度を検出することによって、つまり熱交換装置５４６ａの冷却性を十分に確保しておくことで、温度調節装置５０Ｂは、より確実に刷版の版面温度の上昇を抑制できる。
【０１２９】
水舟２８１ａと、水舟２８１ｂと、水舟２８２ａと、水舟２８２ｂと、水舟２８３ａと、水舟２８３ｂとは、熱交換装置５４６ａによって冷却された湿し水がタンク５１から湿し水用ポンプ５３によって供給される。熱交換装置５４６ａによって冷却された湿し水は、湿し水用ポンプ５３によって、熱交換装置５４５ｂにも供給される。
【０１３０】
これによって、熱交換装置５４６ａによって冷却された湿し水は、熱交換装置５４５ｂによってさらに冷却されて、水舟２８４ａと、水舟２８４ｂとに供給される。これにより、温度調節装置５０Ｂは、版面温度が比較的高くなりやすい刷版が装着される第４印刷ユニット１４の版胴２５ａ及び版胴２５ｂに装着される刷版の版面温度と適温との差を低減できる。
【０１３１】
なお、温度調節装置５０は、温度調節装置５０Ａ及び温度調節装置５０Ｂのように、版面温度が比較的高くなりやすい刷版の版面に供給される湿し水の温度を他の刷版に供給される湿し水の温度よりも小さくできる構成であれば、備える熱交換装置の個数やグループの構成は限定されない。
【０１３２】
（実施形態２）
図６は、実施形態２に係る温度調節装置の構成を示す模式図である。温度調節装置５０Ｃは、湿し水の温度ではなく、往復ローラ３４を冷却する冷却水の温度を調節する点に特徴がある。従来、図２に示す往復ローラ３４に冷却水を供給し、前記冷却水を他の往復ローラ３４に循環させて印刷ユニットを冷却する印刷機がある。
【０１３３】
図６に示すように、本実施形態に係る印刷機２は、各印刷ユニット１１〜１４の各往復ローラ３４に供給される冷却水の温度が温度調節装置５０Ｃによって調節される。温度調節装置５０Ｃは、図２に示す往復ローラ３４に供給される冷却水を冷却することによって刷版の版面温度を低下させる。
【０１３４】
温度調節装置５０Ｃは、合計８個設けられる版胴２５の刷版を１つの印刷ユニット内に配置される刷版ごとに２つずつグループに分けて、各熱交換装置５４７ａ〜５４７ｂで各往復ローラ３４に供給される冷却水を冷却することで、各グループで個別に版胴２５に装着される刷版の版面を冷却する。温度調節装置５０Ｃは、タンク６１と、冷却水用ポンプ６３と、熱交換装置５４７ａと、熱交換装置５４７ｂと、熱交換装置５４７ｃと、熱交換装置５４７ｄと、フィルターＦとを備える。
【０１３５】
往復ローラ３４は、各印刷ユニット１１〜１４に４個２組、合計８個設けられる。通常、冷却水は、少なくとも図２に示す往復ローラ３４ｂと往復ローラ３４ｄとに供給される。または、冷却水は、往復ローラ３４ｂと往復ローラ３４ｃと往復ローラ３４ｄとに供給される。または、冷却水は、往復ローラ３４ａと往復ローラ３４ｂと往復ローラ３４ｃと往復ローラ３４ｄとに供給される。
【０１３６】
ここで、第１印刷ユニット１１の版胴２５ａ側の往復ローラ３４群のうち、冷却水が供給される往復ローラ３４を往復ローラ３４１ａとする。第１印刷ユニット１１の版胴２５ｂ側の往復ローラ３４群のうち、冷却水が供給される往復ローラ３４を往復ローラ３４１ｂとする。
【０１３７】
第２印刷ユニット１２の版胴２５ａ側の往復ローラ３４群のうち、冷却水が供給される往復ローラ３４を往復ローラ３４２ａとする。第２印刷ユニット１２の版胴２５ｂ側の往復ローラ３４群のうち、冷却水が供給される往復ローラ３４を往復ローラ３４２ｂとする。
【０１３８】
第３印刷ユニット１３の版胴２５ａ側の往復ローラ３４群のうち、冷却水が供給される往復ローラ３４を往復ローラ３４３ａとする。第３印刷ユニット１３の版胴２５ｂ側の往復ローラ３４群のうち、冷却水が供給される往復ローラ３４を往復ローラ３４３ｂとする。
【０１３９】
第４印刷ユニット１４の版胴２５ａ側の往復ローラ３４群のうち、冷却水が供給される往復ローラ３４を往復ローラ３４４ａとする。第４印刷ユニット１４の版胴２５ｂ側の往復ローラ３４群のうち、冷却水が供給される往復ローラ３４を往復ローラ３４４ｂとする。
【０１４０】
冷却水は、最も刷版の版面温度が高くなりやすいグループの往復ローラ３４から供給される。これにより、最も低温な状態の冷却水によって、最も版面温度が高くなりやすい刷版の版面を冷却できる。これにより、温度調節装置５０Ｃは、刷版の版面の実際の温度と適温との差をより好適に低減できる。
【０１４１】
ここで、熱交換装置５４７ａ〜熱交換装置５４７ｄは、それぞれ冷却性が異なって設定されるとさらに好ましい。具体的には、冷却性が高く設定される順に、熱交換装置５４７ａ、熱交換装置５４７ｂ、熱交換装置５４７ｃ、熱交換装置５４７ｄとなる。
【０１４２】
タンク６１は、内部に冷却水を溜める。冷却水用ポンプ６３は、タンク６１から冷却水を熱交換装置５４７ａに供給する。熱交換装置５４７ａに供給された冷却水は、熱交換装置５４７ａによって冷却されて往復ローラ３４４ｂに供給される。この時、冷却水は、最も冷却性が高い熱交換装置５４７ａによって冷却されている。
【０１４３】
前記冷却水により、版面温度が最も高くなりやすい第４印刷ユニット１４の版胴２５ｂ側の各ローラ群が最もよく冷却される。これにより、温度調節装置５０Ｃは、第４印刷ユニット１４の版胴２５ｂに装着される刷版の版面温度と適温との差を低減できる。
【０１４４】
次に、冷却水は、版面温度が２番目に高くなりやすい第４印刷ユニット１４の版胴２５ａ側の往復ローラ３４４ａに供給される。これにより、冷却水は、第４印刷ユニット１４の版胴２５ａ側の各ローラを冷却する。これにより、温度調節装置５０Ｃは、第４印刷ユニット１４の版胴２５ａに装着される刷版の版面温度と適温との差を低減できる。
【０１４５】
次に、冷却水は、熱交換装置５４７ｂに供給され、熱交換装置５４７ｂによって冷却される。次に、冷却水は、版面温度が３番目に高くなりやすい第３印刷ユニット１３の版胴２５ｂ側の往復ローラ３４３ｂに供給される。これにより、冷却水は、第３印刷ユニット１３の版胴２５ｂ側の各ローラを冷却する。これにより、温度調節装置５０Ｃは、第３印刷ユニット１３の版胴２５ｂに装着される刷版の版面温度と適温との差を低減できる。
【０１４６】
次に、冷却水は、版面温度が４番目に高くなりやすい第３印刷ユニット１３の版胴２５ａ側の往復ローラ３４３ａに供給される。これにより、冷却水は、第３印刷ユニット１３の版胴２５ａ側の各ローラを冷却する。これにより、温度調節装置５０Ｃは、第３印刷ユニット１３の版胴２５ａに装着される刷版の版面温度と適温との差を低減できる。
【０１４７】
次に、冷却水は、熱交換装置５４７ｃに供給され、熱交換装置５４７ｃによって冷却される。次に、冷却水は、版面温度が５番目に高くなりやすい第２印刷ユニット１２の版胴２５ｂ側の往復ローラ３４２ｂに供給される。これにより、冷却水は、第２印刷ユニット１２の版胴２５ｂ側の各ローラを冷却する。これにより、温度調節装置５０Ｃは、第２印刷ユニット１２の版胴２５ｂに装着される刷版の版面温度と適温との差を低減できる。
【０１４８】
次に、冷却水は、版面温度が６番目に高くなりやすい第２印刷ユニット１２の版胴２５ａ側の往復ローラ３４２ａに供給される。これにより、冷却水は、第２印刷ユニット１２の版胴２５ａ側の各ローラを冷却する。これにより、温度調節装置５０Ｃは、第２印刷ユニット１２の版胴２５ａに装着される刷版の版面温度と適温との差を低減できる。
【０１４９】
次に、冷却水は、熱交換装置５４７ｄに供給され、熱交換装置５４７ｄによって冷却される。次に、冷却水は、版面温度が７番目に高くなりやすい第１印刷ユニット１１の版胴２５ｂ側の往復ローラ３４１ｂに供給される。これにより、冷却水は、第１印刷ユニット１１の版胴２５ｂ側の各ローラを冷却する。これにより、温度調節装置５０Ｃは、第１印刷ユニット１１の版胴２５ｂに装着される刷版の版面温度と適温との差を低減できる。
【０１５０】
次に、冷却水は、版面温度が８番目に高くなりやすい第１印刷ユニット１１の版胴２５ａ側の往復ローラ３４１ａに供給される。これにより、冷却水は、第１印刷ユニット１１の版胴２５ａ側の各ローラを冷却する。これにより、温度調節装置５０Ｃは、第１印刷ユニット１１の版胴２５ａに装着される刷版の版面温度と適温との差を低減できる。次に、冷却水は、冷却水中の不純物を取り除くフィルターＦを介してタンク６１へ戻る。これにより、冷却水は、上記した順に冷却の対象である各往復ローラ３４に循環して供給される。
【０１５１】
上記構成により、温度調節装置５０Ｃは、各版胴２５に装着される刷版をひとつの印刷ユニット内に配置される刷版ごとに２つずつグループに分けて、前記グループごとに熱交換装置を備える。温度調節装置５０Ｃは、より刷版の版面温度が高くなりやすい前記グループの往復ローラ３４に、冷却性が高い熱交換装置から、より冷却され冷却水を供給する。これにより、温度調節装置５０Ｃは、刷版の版面温度と適温との差を低減できる。
【０１５２】
なお、温度調節装置５０Ｃは、各往復ローラ３４が直列に接続されたが、本実施形態はこれに限定されない。つまり、温度調節装置５０Ｃは、各往復ローラ３４が互いに並列に接続されてもよいし、直列と並列との両方で接続されてもよい。
【０１５３】
また、温度調節装置５０Ｃは、熱交換装置を合計４つ備えたが、本実施形態はこれに限定されない。熱交換装置は、必要な数を必要な箇所に複数設けられればよい。つまり、温度調節装置５０Ｃは、例えば、合計８個設けられる各往復ローラ３４を１つずつ個別に合計８個のグループに分けて、各グループの往復ローラ３４に供給される冷却水の温度を調節して各グループの刷版の温度を調節してもよい。
【０１５４】
また、温度調節装置５０Ｃは、温度センサＴを備え、温度調節装置５０や、温度調節装置５０Ａや、温度調節装置５０Ｂのように、温度センサＴが検出した冷却水の温度に基づいて、各熱交換装置５４７ａ〜熱交換装置５４７ｄの冷却性が決定されるものでもよい。温度調節装置５０Ｃは、例えば、温度センサＴが、往復ローラ３４４ｂに供給される冷却水の温度を検出し、その温度に基づいて熱交換装置５４７ａに供給される冷媒の流量が調節される。
【０１５５】
上記構成によっても、温度調節装置５０Ｃは、より刷版の版面温度が高くなりやすいグループの往復ローラ３４に、冷却性が高い熱交換装置から、より好適に冷却された冷却水を供給する。これにより、温度調節装置５０Ｃは、刷版の版面温度と適温との差を低減できる。
【０１５６】
図７は、工場内での印刷機の配置の一例を示す模式図である。なお、乾燥装置１０３を熱源として、第４印刷ユニット１４、第３印刷ユニット１３、第２印刷ユニット１２、第１印刷ユニット１１の順に、刷版の版面温度が上昇しやすいと説明したが、本実施形態はこれに限定されない。図７に示すように、印刷機３ａは、隣接して印刷機３ｂが配置される。ここで、例えば、印刷機３ａは、印刷機３ａの第１印刷ユニット１１が、隣接する印刷機３ｂの乾燥装置１０３の近傍に配置されたとする。
【０１５７】
この場合、印刷機３ａは、第１印刷ユニット１１及び第４印刷ユニット１４が、第２印刷ユニット１２や、第３印刷ユニット１３よりも乾燥装置１０３から熱を受けて、刷版の版面温度が上昇しやすい。
【０１５８】
この場合、上述の温度調節装置５０、温度調節装置５０Ａ、温度調節装置５０Ｂ、温度調節装置５０Ｃは、第１印刷ユニット１１及び第４印刷ユニット１４の刷版の版面を第２印刷ユニット１２及び第３印刷ユニット１３の刷版の版面よりも重点的に冷却する。
【０１５９】
上記構成により、温度調節装置５０、温度調節装置５０Ａ、温度調節装置５０Ｂ、温度調節装置５０Ｃは、冷却をより必要とする刷版の版面をより重点的に冷却して、刷版の版面の実際の温度と適温との差を好適に低減できる。なお、熱源は乾燥装置１０３に限定されず、例えば、工場内に配置された印刷機の構成要素以外でもよい。
【０１６０】
なお、温度調節装置５０Ｃは、往復ローラ３４を冷却する冷却水を冷却することで、刷版の版面温度を調節したが、温度調節装置５０Ｃは湿し水と前記冷却水との２つを冷却することによって刷版の版面温度を調節してもよい。
【産業上の利用可能性】
【０１６１】
以上のように、本発明に係る印刷機は、刷版に湿し水を供給する印刷機や往復ローラに冷却水を供給する印刷機に有用であり、特に、刷版の版面の実際の温度と適温との差を低減する印刷機に適する。
【図面の簡単な説明】
【０１６２】
【図１】実施形態１に係る印刷機を示す概略図である。
【図２】実施形態１に係る印刷ユニットの内部を模式的に示す概略図である。
【図３】実施形態１に係る温度調節装置の構成を示す模式図である。
【図４】変形例１に係る温度調節装置の構成を示す模式図である。
【図５】変形例２に係る温度調節装置の構成を示す模式図である。
【図６】実施形態２に係る温度調節装置の構成を示す模式図である。
【図７】工場内での印刷機の配置の一例を示す模式図である。
【符号の説明】
【０１６３】
１、２、３ａ、３ｂ  印刷機
１０  印刷装置
１１  第１印刷ユニット
１２  第２印刷ユニット
１３  第３印刷ユニット
１４  第４印刷ユニット
１５  制御装置
２０  第１ブランケット胴
２１  第２ブランケット胴
２２  第１モータ
２３  第２モータ
２５  版胴
２６  インキ壷
２７  インキローラ群
２８  水舟
２９  水ローラ群
３１  インキ元ローラ
３２  呼出ローラ
３３  中間インキローラ群
３４  往復ローラ
３５  インキ着ローラ
３６  第３モータ
４０  水元ローラ
４１  調量ローラ
４２  水着ローラ
４４  第４モータ
５０、５０Ａ、５０Ｂ、５０Ｃ  温度調節装置
５１  タンク
５２  添加剤供給装置
５３  湿し水用ポンプ
５４１ａ〜５４７ｄ  熱交換装置
５５  排水処理装置
６１  タンク
６３  冷却水用ポンプ
１０１  給紙装置
１０２  インフィード装置
１０３  乾燥装置
１０４  冷却装置
１０５  ウェブパス装置
１０６  折機
１０７  排紙コンベア
Ｆ  フィルター
Ｌ  搬送経路
ＬＩ  インキ供給経路
ＬＷ  水供給経路
Ｓ  折帳
Ｔ  温度センサ
Ｗ  ウェブ
α、β、γ  所定の温度
【図１】
2009255421.tif 000003
【図２】
2009255421.tif 000004
【図３】
2009255421.tif 000005
【図４】
2009255421.tif 000006
【図５】
2009255421.tif 000007
【図６】
2009255421.tif 000008
【図７】
2009255421.tif 000009